(57)【要約】【課題】  単純にインシュレータにＦＦＣを貼り付けるだけで、ＦＦＣの剥離しなくなるコネクタを提供すること。【解決手段】  コネクタは、ＦＦＣ５０を保持するベースインシュレータ１０及びカバーインシュレータ２０と、夫々のインシュレータを覆うシェル部とを備えている。ＦＦＣ５０は基材５１の一面の複数の導体５２と他面のシールド層５５とを備えている。シェル部は相手側コネクタのシェルと接続する接触部３２と、夫々のインシュレータを覆い対向すると共に夫々バネ片３１，４１を備えた第１及び第２の本体部６０，７０とを有する。ベースインシュレータ１０は、第１の本体部６０のバネ片３１に対応する貫通孔３を有し、カバーインシュレータ２０とともに、ＦＦＣ５０を挟みつけ、第１の本体部６０のバネ片３１によりＦＦＣ５０のコネクタシールド層５６とが接続するようにした。【選択図】      図１
2006173051.tif 000002
【特許請求の範囲】
【請求項１】
ＦＦＣからなるコンタクト部材を保持するインシュレータ部と、前記インシュレータを覆うシェル部とを備え、前記コンタクト部材は基材と、前記基材の一面に配設された複数の導体と、前記基材の他面に配設されたシールド層とを備え、
前記シェル部は相手側シェルと接続する接触部と、前記インシュレータ部を覆い対向する第１及び第２の本体部とを有し、第１及び第２の本体部の夫々はバネ片を有し、前記インシュレータ部は、ベースインシュレータとカバーインシュレータとを備え、前記ベースインシュレータは、前記コンタクト部材と前記シェル部の接触部とを対向載置する嵌合部と、前記第１の本体部のバネ片に対応する貫通孔とを有し、
前記ベースインシュレータと前記カバーインシュレータとにより前記コンタクト部材を挟みつけ、前記第１及び第２の本体部のいずれか一方のバネ片により前記コンタクト部材の前記シールド層とが接続するようにしたことを特徴とするコネクタ。
【請求項２】
請求項１に記載のコネクタにおいて、前記ベースインシュレータの嵌合部は相手側との嵌合側端部に凸状部を有し、前記凸状部の高さは、前記コンタクト部材の厚さよりも大であることを特徴とするコネクタ。
【請求項３】
請求項１に記載のコネクタにおいて、前記カバーインシュレータの前記コンタクト部材の電気的にグランドを指定される端子に向かい合う位置に、貫通穴を設け、前記第２の本体からバネ片を伸展させ、前記第２の本体が直接グランドに電気接続されるように構成したことを特徴とするコネクタ。
【請求項４】
請求項１に記載のコネクタにおいて、前記ＦＦＣはシート表面にシールド層を設けられ、前記第２の本体からバネ片を伸展させ、前記カバーインシュレータの前記バネ片に対応する位置に貫通穴を設け、前記第２の本体が前記シールド層に電気的に直接接続されるように構成したことを特徴とするコネクタ。
【請求項５】
請求項４に記載のコネクタにおいて、前記コンタクト部材の電気的にグランドを指定される端子の位置のシールド層と、前記カバーインシュレータの前記端子に対向する位置とに夫々貫通穴を設け、前記第２の本体から前記バネ片を伸展させて、前記第２の本体が直接グランドに電気接続されるように構成したことを特徴とするコネクタ。
【発明の詳細な説明】
【技術分野】
【０００１】
本発明は、フレキシブルフラットケーブル（ＦＦＣ）もしくはフレキシブル配線基板（ＦＰＣ）を電子機器等に接続するためのコネクタに関する。
【背景技術】
【０００２】
従来、図１０に示すフレキシブルフラットケーブル（ＦＦＣ）またはフレキシブル配線基板（ＦＰＣ、以下、これらをまとめてＦＦＣで示す）接続用コネクタが提案されている（特許文献１参照）。以下の説明において、ＦＦＣ又はＦＰＣをまとめて、単にＦＦＣで示す。この従来のＦＦＣ接続用コネクタ１２０は、ＦＦＣ５０をプリント基板等９０に接続するためのプラグコネクタであって、ＦＦＣ５０に装着されるプラグハウジングからなり、プリント基板等９０に実装されるベースハウジング１１０に接続される。ベースハウジング１１０には開溝部１１１が形成され、この開溝部１１１にはコンタクト１１２ａが溝幅方向に弾性変形できるように内設されている。ＦＦＣ接続用コネクタ１２０は、ＦＦＣ５０の表面側及び裏面側にそれぞれ配置され且つ互いに結合されるベースインシュレータ１０及びカバーインシュレータ２０を備え、少なくとも一方のインシュレータにはＦＦＣ５０を係止する係止部が設けられている。カバーインシュレータ２０にはＦＦＣ５０の先端裏面に当接する支持部が設けられ、この支持部がＦＦＣ５０と共にベースハウジング１１０のコンタクト１１２ａと開溝部１１１内壁との間に、コンタクト１１２ａの弾性復元力に抗して嵌合できるように構成されている。さらに、ＦＦＣ５０の導体がコンタクトに圧接する位置でＦＦＣ接続用コネクタ１２０をベースハウジング１１１に係止する係止部９３と、１１３を備えたロック機構１３０が設けられている。
【０００３】
この従来のＦＦＣ接続用コネクタ１２０において、インシュレータへのＦＦＣ５０の貼り付けは、ＦＦＣ５０の先端は、むき出しになっており、嵌合時に相手側のコンタクト１１２ａが当たり巻くれあがり、剥離する危険を含んでいる。
【０００４】
図１１は従来技術によるＦＦＣ接続用コネクタのもう一つの例を示す図である（特許文献２、参照）。図１１を参照すると、ＦＦＣ接続用コネクタ１４０は、基台からなるベースインシュレータ１０と、カバー枠体からなるカバーインシュレータ２０と、これらに挟み込まれるＦＦＣ５０とを備えている。ＦＦＣ５０は、導体５２ａ，５２ｂが露出した先端部５１を備え、また固定用の穴５７ａ，５７ｂを備えている。ベースインシュレータ１０は、ＦＦＣ５０が載置される平坦面１２４ａ，１２４ｂ，１２４ｃ及び傾斜面１２５ａ，１２５ｂ，１２５ｃを備えた載置面を有する。カバーインシュレータ２０は、ベースインシュレータ１０の載置面を覆い且つこのＦＦＣ５０の導体を露出させる枠辺１３３ａ〜１３３ｄによって形成された開口１３２を有する。
【０００５】
ベースインシュレータ１０とカバーインシュレータ２０との間にＦＦＣ５０が挟持され、このカバーインシュレータ２０の前方の枠片（押え片）１３３ａにより、ＦＦＣ５０の先端が載置面に圧接固定される構成である。
【０００６】
固定は、ベースインシュレータ１０のピン１２６ａ，１２６ｂ、及び溝１２７ａ，１２７ｂと、カバーインシュレータ２０との嵌合によってなされる。なお、符号１５０ａ，１５０ｂは相手側コネクタとの接続をロックするためのロック機構である。
【０００７】
この特許文献２に示されるような２枚のインシュレータ１０，２０により、ＦＦＣ５０を挟み込んだ状態では、部材が増えるために、コネクタ１４０の厚さが厚くなってしまう。また、２枚のインシュレータ１０，２０同士を確実に固定する必要があり、そのために、導体路を分断しなくてはならない箇所が発生し、同一幅において信号数が減少してしまう。
【０００８】
また、従来のＦＦＣのシールド層を相手側に接続する方法は、シールド層を導体とスルホール等で接続して、その導体が相手側のコネクタに接続するようになっている。
【０００９】
このような方法では、導体に必ずグランドラインが必要になり、信号ラインが減少することになり、コネクタの小型化には不利である。また、シェルをグランドに利用しているコネクタへの応用は非常に難しいものとなる。
【００１０】
したがって、従来のコネクタにおいて、ＦＦＣをコンタクトとして使用する場合、ＦＦＣのグランドを相手側と接続する場合に接続が困難であるか、あるいは、構造が複雑であった。
【００１１】
【特許文献１】特開平１１−１３５２０３号公報
【特許文献２】特開２００３−２４３０７１号公報
【発明の開示】
【発明が解決しようとする課題】
【００１２】
そこで、本発明の一技術的課題は、単純にインシュレータにＦＦＣを貼り付けるだけで、ＦＦＣの剥離しなくなるコネクタを提供することにある。
【００１３】
また、本発明のもう一つの技術的課題は、信号ラインにグランドラインを割り当てる必要がなく、信号数の減少が起きないコネクタを提供することにある。
【００１４】
また、本発明のさらに、もう一つの技術的課題は、ＦＦＣのシールドを相手側コネクタと簡易に接続できるコネクタを提供することにある。
【課題を解決するための手段】
【００１５】
本発明によれば、フレキシブルフラットケーブル（ＦＦＣ）又はフレキシブル配線基板（ＦＰＣ，以下、ＦＦＣ及びＦＰＣを纏めてＦＣＣと呼ぶ）からなるコンタクト部材を保持するインシュレータ部と、前記インシュレータ部を覆うシェルとを備え、前記コンタクト部材は基材と、前記基材の一面に配設された複数の導体と、基材の他面に配設されたシールド層とを有し、前記シェル部は相手側シェルと接続する接触部と、前記インシュレータを覆い対向する第１及び第２の本体部とを有し、第１及び第２の本体部の夫々はバネ片を有し、前記インシュレータは、ベースインシュレータとカバーインシュレータとからなり、前記ベースインシュレータは、前記コンタクト部材と前記シェル部の接触部とを対向載置する嵌合部と、第１の本体部のバネ片に対応する貫通孔とを有し、前記ベースインシュレータと前記カバーインシュレータとにより前記コンタクト部材を挟みつけ、前記第１及び第２の本体部のいずれか一方のバネ片により前記コンタクト部材のシールド層とが接続するようにしたことを特徴とするコネクタが得られる。ここで、本発明において、前記シェル部は、シェル及びカバーシェルからなることが好ましい。
【００１６】
また、本発明によれば、前記コネクタにおいて、前記ベースインシュレータの嵌合部は相手側との嵌合側端部に凸状部を有し、前記凸状部の高さは、前記コンタクト部材の厚さよりも大であることを特徴とするコネクタが得られる。
【発明の効果】
【００１７】
本発明では、インシュレータの先端がＦＦＣよりわずかに高くなっているために、嵌合時に相手側のコンタクトがＦＦＣの先端に当たらないために、捲くれ上がり、剥離の危険性は小さくなっている。このことにより、単純にインシュレータにＦＦＣを貼り付けるだけで、剥離しなくなるコネクタを提供することができる。
【００１８】
また、本発明では、ばね片を有するシェルにＦＦＣのシールド層が接続する形態をとっているので、信号ラインにグランドラインを割り当てる必要がなく、信号数の減少が起きず、また、シェルをグランドの接続に利用しているタイプのコネクタには、そのまま利用することができるコネクタを提供することができる。
【００１９】
また、本発明では、シェルに接続部とバネ片を設け、カバーとベースとで、ＦＦＣをはさみ、且つバネ片より挟持するようにしたので、ＦＦＣを保持し、且つバネ片とシールド層とが接続するようにしたので、ＦＦＣシールドを相手側と簡易に接続できるコネクタを提供することができる。
【発明を実施するための最良の形態】
【００２０】
以下、本発明の実施の形態について図面を参照しながら説明する。
【００２１】
図１は本発明の第１の実施の形態によるコネクタを示す斜視図である。図２（ａ）は図１のコネクタの一部省略した部分平面図である。図２（ｂ）は図２（ａ）のコネクタの正面図、図２（ｃ）は図２（ａ）のコネクタの側面図である。図３は図１のコネクタの部分分解組立斜視図である。図４は本発明の第１の実施の形態によるＦＦＣの横断面図である。図５は図１のコネクタの断面図である。図６は本発明の実施の形態によるコネクタの動作説明に供せられる部分断面図である。
【００２２】
図１乃至図５を参照すると、本発明の第１の実施の形態によるコネクタ１０１は、インシュレータ部とシェル部とを供えている。インシュレータ部は、ベースインシュレータ１０と、カバーインシュレータ２０とを備えている。シェル部は、シェル３０と、カバーシェル４０とを備えている。コネクタ１０１は、シェル部に覆われたインシュレータ部によって、フレキシブルフラットケーブル（ＦＦＣ）５０の一端部を挟み込んで構成されている。
【００２３】
本発明の実施の形態によるコネクタ１０１は、ＦＰＣ５０の先端部５７の導体部５２を露出させて、直接相手側コネクタのコンタクトに接続するコンタクト部材として用い、図５に示すように、導電性フィルムをＦＦＣ５０の裏面に配して、インピーダンスマッチングを行ったものの先端部５７をベースインシュレータ１０およびカバーインシュレータ２０で挟み込み、コネクタ化したものである。
【００２４】
図３に最も良く示されるように、ベースインシュレータ１０は、平板状のケーブル支持部２とその両側に設けられた、相手側コネクタに接続するための両側に夫々設けられたロック部１１と、このロック部１１に収容されるロックレバー１５とを備えている。
【００２５】
ケーブル支持部２の前端には、凹凸部が形成された先端部１を備えている。この先端部１はケーブル支持部２の上面とは高く段をなして形成されている。ケーブル支持部２の後方の端部６は、ＦＦＣ５０を挟み込むために凸凹に形成されている。ケーブル支持部２の中央には、後に説明するシェル３０のばねの先端を挿入するための穴３が、幅方向にシェルのばね間隔に対応した間隔で設けられている。ケーブル支持部２の両側には、ロック部１１にまで至るように外側に向かって窪んだ矩形の窪み４が形成されている。この窪み４は、ＦＦＣ５０の先端部よりに設けられた突出片５８を収容して、その上にカバーインシュレータ２０の両側の突出部２１を受け入れるように設けられている。また、ケーブル支持部２の正面の両側には、ロック部１１との間に係止溝５が設けられている。この係止溝５はカバーシェル４０を装着するために、カバーシュル４０の両側に設けられた係止片４２を収容する。
【００２６】
カバーインシュレータ２０は、細長い四角の平板からなり、両側に矩形の突出部２１を備えている。カバーインシュレータ２０の板面には、カバーシェル２０のばね片４１を収容する角型の穴部２２を備えている。
【００２７】
図３に示される下側のシェル部をなすシェル３０は、前後が逆に示されている。シェル３０は、相手側コネクタのシールド部分と接触する前方に設けられた接触部３２と、第１の本体部６０とを備えている。接触部３２の両側には、ケーブルを位置決めするための断面逆Ｌ字形状の突出片３６を備えている。また、第１の本体部６０の後方の縁部は、凹凸を持つように形成されている。ベースインシュレータ１０の両側のロック部１１の外形に対応する部分には、突出片３５が夫々形成されている。また、シェル３０の第１の本体部６０の板面には、切り込みによって形成されたバネ片３１を備えている。
【００２８】
また、カバーシェル４０は、前方の端４３と第２の本体部７０とを備えている。接触部４３の縁部には、凹凸が形成されている。端部４３に隣接して、ベースインシュレータ１０に装着するために、両側前方に突出し下方折れ曲がった係止片４２と後側の突出片４５を備えている。また、第２の本体部７０の縁部４４には、凹凸が形成されている。また、第２の本体部７０には、切り込みによって、幅方向に等間隔で、バネ片４１が設けられている。このバネ片４１は、カバーインシュレータ２０の孔部２２に装着されて、カバーインシュレータ２０とベースインシュレータ１０とで、ＦＦＣを挟み込む際の圧接力を与える。
【００２９】
図４に最も良く示されるように、本発明の実施の形態に使用されるＦＦＣ５０は基材５１のフィルム上に、細長い導体５２があり、その上を接着剤層５３を介してシート５５で覆われている。一方、基材５１の裏面には、接着剤層５４を介してシールド層５６が設けられている。基材５１のフィルムの厚さ及び導体５２の厚さ、幅を要求されるインピーダンスマッチングするように設定している。
【００３０】
また、図３に示されるように、ＦＦＣ５０の先端部５７は、導体５２が露出している。この先端部５７に長さ方向に隣接して両側に切り込みによって突出片５８が設けられている。この突出片５８はベースインシュレータ１０の窪み４に収容され、カバーインシュレータ２０の両側の突出片２１によって押さえられ、固定される。なお、同等の構成であれば、ＦＦＣ５０の代わりにフレキシブル配線基板（ＦＰＣ）であっても、本発明の実施の形態と同様に用いることができる。
【００３１】
次に、本発明の実施の形態によるコネクタを組み立てるには、ベースインシュレータ１０にＦＦＣ５０の先端部を突出片５８を窪みに装着したのち、カバーインシュレータ２０をカバーインシュレータ２０の突出片２１をさらに窪み４に合わせて挟み込み、シェル３０をベースインシュレータ１０に装着し、カバーシェル４０を突出片４２をベースインシュレータ１０の溝５にはめ込んで合わせることによって固定され、図１及び図２に示すコネクタ１０３が完成する。
【００３２】
図５に示すように、コネクタ１０３は、導電性フィルムからなるシールド層５６を備えたＦＦＣ５０がベースインシュレータ１０及びカバーインシュレータ２０に挟み込まれ、さらに、上下から、カバーシェル２０及びシェル３０によって挟み込まれた構成である。ここで、シェル３０のバネ片３１はＦＦＣ５０の裏面のシールド層に接触して電気接触を得る。また、シェル３０の接触部３２は、嵌合相手に設けられているグランド機能を有する図示しないシェルと接続するようになっており、このことにより、導電性フィルムからなるシールド層５６は電気的に嵌合相手のコネクタのグランドと接続される。
【００３３】
また、ＦＦＣ５０の先端部５７の接触面よりもベースインシュレータ３０の先端部１が高く形成されている。
【００３４】
図１２は、本発明の実施の形態によるコネクタの嵌合相手のコネクタの構造を示す斜視図である。図１２を参照すると、嵌合時に前述のシェルと接続するばね片を有する金属部材が組み込まれており、その金属部材には、搭載される基板に接続されるようになっている。このことにより、ＦＦＣ５０に設けられているシールド層５６は電気的に基板へ接続されることとなり、信号路に対してグランドとなり得、インピーダンスマッチングを行いかつノイズを遮断する線路を提供することができる。
【００３５】
図１３は、従来技術によるコネクタの欠点の説明に供する断面図である。
【００３６】
図１３に示すように、単純にインシュレータにＦＦＣ５０が張ってある場合には、嵌合時に相手側のコンタクトがＦＦＣ５０の先端に当たってしまい、貼り付け部が剥がれる危険性がある。
【００３７】
しかし、本発明の実施の形態によるコネクタ１０１では、図６に示すように接続した場合には、嵌合時に相手側のコンタクト８１は、ＦＦＣ５０の先端部５７に絶対当たることはない。このことにより、このことにより、嵌合時のＦＰＣ５０の剥がれや、折り曲げによる接触不良を防ぐことができる。
【００３８】
本発明は、ＦＦＣ／ＦＰＣに限定するものではなく、柔軟性を有するフィルム状ケーブル全般に上記要件が適用される。
【００３９】
図７は本発明の第２の実施の形態によるコネクタを示す断面図である。図７を参照すると、ケーブルコネクタ１０２は第１の実施の形態によるコネクタと略同様の構成であるが、ＦＦＣの先端部の構造が、シート５５を剥離された状態にあり、グランド導体５２ａが露出している点で、異なるほかは、略同様の構造である。
【００４０】
ＦＦＣの下部のシールド層５６は、第１の本体部６０のベースインシュレータ１０に設けられた貫通した穴３ａ，３ａを介して、ベースインシュレータ１０の下側に設けられたシェル３０のバネ片３１が伸展して、ＦＰＣの両側の露出した導体５２に接触することで、グランドに接続される構成である。
【００４１】
このような構成の本発明の第２の実施の形態によるコネクタ１０２によれば、デリケートなＥＭＩについても、グランドの接続のしかた(落とし方)が選択できるので、実装する場合に、設計の自由度を増すことができる。
【００４２】
図８は本発明の第３の実施の形態によるコネクタを示す断面図である。図８を参照すると、ケーブルコネクタ１０３は第１及び第２の実施の形態によるコネクタと略同様の構成であるが、ＦＦＣの構造が異なる。ＦＦＣはシート５５の上にさらに、別のシールド層５６を備えている点で異なっている。
【００４３】
ＦＦＣの上部及び下部の夫々シールド層５６は、第１の本体部６０のベースインシュレータ１０と第２の本体部７０のカバーインシュレータ２０に夫々設けられた貫通した穴３ａ及び穴部２２を介して、ベースインシュレータ１０の下側に設けられたシェル３０のバネ片３１及びカバーインシュレータの上側に設けられたカバーシェル４０のバネ片４１が伸展して、夫々のシールド層５６に接触することで、直接グランドに電気接続される構成である。
【００４４】
このように、本発明の第３の実施の形態によるコネクタによれば、ケーブルを完全に覆い、端部で完全にグランドに落とせば、ノイズ発信と受信に対して強固な防御を実現することができる。
【００４５】
図９は本発明の第４の実施の形態によるコネクタを示す断面図である。図９を参照すると、ケーブルコネクタ１０４は第１、第２、及び第３の実施の形態によるコネクタと略同様の構成であるが、ＦＦＣの構造が異なる。ＦＦＣは、第３の実施の形態によるＦＦＣシートと同様にＦＦＣのシート５５の上にさらに、別のシールド層５６を備えている。
【００４６】
しかしながら、ＦＦＣは、シート５５を貫通して、信号用及びグランド用の導体５２の内のグランド導体に到る貫通穴５７を備えている。
【００４７】
ＦＦＣの上部及び下部の夫々シールド層５６は、第１の本体部６０のベースインシュレータ１０と第２の本体部７０のカバーインシュレータ２０に夫々設けられた貫通した穴３ａ，及び穴部２２を介して、ベースインシュレータ１０の下側に設けられたシェル３０のバネ片３１及びカバーインシュレータの上側に設けられたカバーシェル４０のバネ片４１が伸展して、夫々のシールド層５６に接触することで、直接グランドに電気接続される。さらに、グランド導体５２と対応する位置に穴部５９と、その位置に対応して設けられている第２の本体部７０のカバーインシュレータ２０に穴部２２を介して、カバーインシュレータ２０の上側に設けられたカバーシェル４０のバネ片４１が伸展して、ＦＦＣの両側に設けられたグランド用の導体５２に接触することで、グランド導体５２がグランドとなるカバーシェル４０に直接電気接続される構成である。
【００４８】
このように、本発明の第４の実施の形態によるコネクタによれば、第３の実施の形態によるコネクタと同様に、ケーブルを完全に覆い、端部で完全にグランドに落とせば、ノイズ発信と受信に対して強固な防御を実現することができる。
【００４９】
以上説明したように、本発明の実施の形態においては、ＦＦＣの構造が異なる場合の接続例について述べたが、ＦＦＣは上記実施の形態に限定されず、また、ＦＰＣでも良いことは勿論である。
【産業上の利用可能性】
【００５０】
以上の説明の通り、本発明に係るコネクタＦは、ＦＦＣ又はＦＰＣとを電子機器や基板に接続するのに最適である。
【図面の簡単な説明】
【００５１】
【図１】本発明の実施の形態によるコネクタを示す斜視図である。
【図２】（ａ）は図１のコネクタの一部省略した部分平面図である。（ｂ）は（ａ）のコネクタの正面図である。（ｃ）は（ａ）のコネクタの側面図である。
【図３】図１のコネクタの部分分解組立斜視図である。
【図４】本発明の実施の形態によるＦＦＣの横断面図である。
【図５】図１のコネクタの断面図である。
【図６】本発明の実施の形態によるコネクタの動作説明に供せられる部分断面図である。
【図７】本発明の第２の実施の形態によるコネクタを示す断面図である。
【図８】本発明の第３の実施の形態によるコネクタを示す断面図である。
【図９】本発明の第４の実施の形態によるコネクタを示す断面図である。
【図１０】従来のフレキシブルフラットケーブル（ＦＦＣ）またはフレキシブル配線基板（ＦＰＣ）、以下、これらをまとめてＦＦＣで示す）接続用コネクタ一例を示す断面図である。
【図１１】従来技術によるＦＦＣ接続用コネクタのもう一つの例を示す図である。
【図１２】本発明の実施の形態によるコネクタの嵌合相手のコネクタの構造を示す斜視図である。
【図１３】従来技術によるコネクタの欠点の説明に供する断面図である。
【符号の説明】
【００５２】
１    先端部
２    ケーブル支持部
３    穴
３ａ    貫通穴
４    窪み
５    係止溝
６    端部
１０    ベースインシュレータ
１１    ロック部
１５    ロックレバー
２０    カバーインシュレータ
２１    突出部
２２    穴部
３０    シェル
３１    バネ片
３２    接触部
３５，３６    突出片
４０    カバーシェル
４１    バネ片
４２    係止片
４３    前端
４５    突出片
５０    フレキシブルフラットケーブル（ＦＦＣ）
５１    基材
５２    導体
５２ａ，５２ｂ    導体
５３，５４  接着剤層
５５    シート
５６    シールド層
５７    先端部
５７ａ，５７ｂ    穴
５８    突出片
５９    穴部
６０    第１の本体部
７０    第２の本体部
９０    プリント基板等９０
９３    係止部
１０１，１０２，１０３，１０４    コネクタ
１１０    ベースハウジング
１１１    開溝部
１１２ａ    コンタクト
１１３    支持部
１２０    ＦＦＣ接続用コネクタ
１２４ａ，１２４ｂ，１２４ｃ    平坦面
１２５ａ，１２５ｂ，１２５ｃ    傾斜面
１２６ａ，１２６ｂ    ピン
１２７ａ，１２７ｂ    溝
１３０    ロック機構
１３２    開口
１３３ａ〜１３３ｄ    枠辺
１４０    コネクタ
１５０ａ，１５０ｂ    ロック機構
【図１】
2006173051.tif 000003
【図２】
2006173051.tif 000004
【図３】
2006173051.tif 000005
【図４】
2006173051.tif 000006
【図５】
2006173051.tif 000007
【図６】
2006173051.tif 000008
【図７】
2006173051.tif 000009
【図８】
2006173051.tif 000010
【図９】
2006173051.tif 000011
【図１０】
2006173051.tif 000012
【図１１】
2006173051.tif 000013
【図１２】
2006173051.tif 000014
【図１３】
2006173051.tif 000015